(57)【要約】【課題】  既述した従来の発泡合成樹脂容器においては、蓋体は、容器本体との嵌合方向が決まっているため、方向を揃える必要があった。また、収容を予定した収容物を表示するラベルや、印刷を予め蓋体に施した場合には、表示以外の別の収容物を保管・輸送するのに、蓋体を廃棄し、新しく収容物を表示した蓋体を用いる等していた。【解決手段】  容器本体と蓋体とからなり、本体側壁上端には蓋体との嵌合のための嵌合凸部を有し、該蓋体の両面に該嵌合凸部と嵌合可能な嵌合凹部を有することにより、蓋体の表裏のどちら側の面でも容器本体と嵌合が可能な発泡合成樹脂容器を提供することが出来る。更に、該蓋体の嵌合凹部の外側に１以上の切り欠き部を設けて嵌合凹部の排水が出来るようになる。【選択図】    図１
2006123967.tif 000002
【特許請求の範囲】
【請求項１】
容器本体と蓋体からなる発泡合成樹脂容器であって、蓋体の表裏両面に容器本体と嵌合可能な嵌合部を有することを特徴とする発泡合成樹脂容器。
【請求項２】
容器本体と蓋体とからなる発泡合成樹脂容器であって、容器本体側壁上端に嵌合凸部を有し、該蓋体の両面に容器本体側壁上端の該嵌合凸部と嵌合可能な嵌合凹部を有することを特徴とする請求項１記載の発泡合成樹脂容器。
【請求項３】
該蓋体の嵌合凹部の外縁部に１以上の切り欠き部を設けてなる請求項１または２に記載の発泡合成樹脂容器。
【発明の詳細な説明】
【技術分野】
【０００１】
本発明は、発泡合成樹脂容器に関し、更に詳しくは蓋体の両面が、容器本体と嵌合可能である発泡合成樹脂容器に関する。
【背景技術】
【０００２】
従来の発泡合成樹脂容器は、蓋体の一面のみに容器本体と嵌合出来る構造とされていた。すなわち、容器本体との嵌合面が決まっているため、閉蓋する際には、いちいち向きを揃える必要があった（特許文献１等参照）。また、魚介類等の水産物、野菜類、果物類等の農産物などの収容物を容器本体内に収納保管・輸送するについては、蓋体の表面に、収容物の品名、生産者、数量等を表示したラベルや印刷等を収容前に、あるいは収容後に貼付、あるいは印刷により明示して目的に供することも多い。
【特許文献１】実公平５−３２４４８号公報
【発明の開示】
【発明が解決しようとする課題】
【０００３】
既述した従来の発泡合成樹脂容器においては、蓋体は、容器本体との嵌合面が決まっているため、向きを揃える必要があった。また、収容を予定した収容物を表示するラベルや、印刷を予め蓋体に施した場合には、表示以外の別の収容物を保管・輸送するのに、蓋体を廃棄し、新しく収容物を表示した蓋体を用いる等行っていた。
【課題を解決するための手段】
【０００４】
本発明は、前記課題を解決するためのものであって、次の構成からなる。
【０００５】
すなわち、本発明の第１は、容器本体と蓋体からなる発泡合成樹脂容器であって、蓋体の表裏両面に容器本体と嵌合可能な嵌合部を有することを特徴とする発泡合成樹脂容器に関する。好ましい実施態様としては、容器本体と蓋体とからなる発泡合成樹脂容器であって、容器本体側壁上端に嵌合凸部を有し、該蓋体の両面に容器本体側壁上端の該嵌合凸部と嵌合可能な嵌合凹部を有することを特徴とする前記記載の発泡合成樹脂容器に関し更に好ましい態様としては、該蓋体の嵌合凹部の外縁部に１以上の切り欠き部を設けてなる前記記載の発泡合成樹脂容器に関する。
【発明の効果】
【０００６】
本発明は、蓋体の表面と裏面に嵌合凹部を設け、どちらの面でも容器本体の嵌合凸部と嵌合することが可能な構造としたため蓋体の方向を揃える必要が無く、閉蓋の作業が非常に容易となり能率が大いに改善される。また、蓋体に予め印刷、シールなどで表示したのとは異なる別の収容物の収容を余儀なくされる場合でも、蓋体を廃棄することなく、反対面を使用することで再利用が可能であるリバーシブルな蓋体を備えた容器となる。更に、蓋体の表面或いは裏面の嵌合凹部の外縁部に、１以上の切り欠き部を設けておけば、蓋体表面に露出した嵌合凹部に水が溜まる事がなく良好な排水が可能となる。なお、収容物と異なる印刷面にはマジックインキ等で「バツ」を付す等、何らかのしるしをしておけば、開蓋した際に収容物がどちらの表示の物なのかの混同も生じない。
【発明を実施するための最良の形態】
【０００７】
本発明の発泡樹脂容器は、容器本体と蓋体からなる。本発明の容器本体および蓋体からなる発泡樹脂容器を構成する発泡樹脂としては、ポリスチレン等のポリスチレン系樹脂、ポリエチレン、ポリプロピレン等のポリオレフィン系樹脂、ポリウレタン等のポリウレタン系樹脂等の合成樹脂に発泡剤を含浸圧入等させることにより発泡性を付与し、発泡させて得られるものであり、中でも発泡ポリスチレンが、特性、コストの点から好適に使用される。
【０００８】
本発明の発泡樹脂容器を構成する蓋体の表裏両面には、容器本体と嵌合可能な嵌合部を有しており、特にその形状には限定がないが、容器本体側壁上端に蓋体との嵌合のための嵌合凸部を有することが好ましい。この嵌合凸部の形状は特に限定されるものではない。嵌合凸部は連続していてもよいが、非連続であってもよい。要は、蓋体に設けた嵌合凹部と嵌合可能であればよい。そして、蓋体の両面には同一形状の嵌合凹部を有することが好ましい。ここで、本発明において蓋体は、表面と裏面から構成されるものとする。従って、蓋体の厚み部分、即ち一般的に蓋体の側面に相当する部分においては、その厚み方向の略半分づつがそれぞれ近しい面（表面或いは裏面）を構成するものと本発明においては定義する。このような構成とすることで蓋体の表面或いは裏面のどちら側の面でも容器本体と嵌合が可能な発泡合成樹脂容器とすることが出来る。
【０００９】
そして、該蓋体の嵌合凹部の外縁部に１以上の切り欠き部を設けておけば、表面側となった嵌合凹部に水が溜まる事がなく良好な排水が可能となるので好ましい。
【実施例】
【００１０】
次に図面を用いて本発明のいくつかの実施態様を説明するが、これらは、単なる実施態様であることから、こうした記述で本発明はなんら制限されるものではない。
【００１１】
図１は、本発明の発泡樹脂容器１の一実施態様を示す縦断面図である。容器本体２は、一面が開口しており、その開口は蓋体３で閉鎖できる。容器本体２は、４面の側壁４と底壁５から構成されている。側壁４の側壁上端面６には嵌合凸部７が設けられ、一方、蓋体３の表面８、及び裏面９の両面には、該嵌合凸部７に嵌合可能な、嵌合凹部１０、１０´が設けられている。
【００１２】
図２は、蓋体３を容器本体２に閉蓋した状態を示す斜視図であり、蓋体３の表面８の嵌合凹部１０の外縁部には１以上の切り欠き部１１が設けられており、嵌合凹部１０に溜まる水を排水できるようにしている。また、蓋体３の裏面９側にも、同様に、１以上の切り欠き部１２が設けられていることがわかる。この実施例では、蓋体３の両面８，９の同一箇所に切り欠き部１１、１２を設けている例を示しているが、必ずしも同一箇所である必要はなく、自由な位置に設けてもよい。図１では、図２に示したＡ−Ａ矢視の蓋体３を容器本体２に閉蓋した状態の発泡樹脂容器１の断面図を表しているが、図３では、Ｂ−Ｂ矢視における閉蓋した状態の発泡樹脂容器１の縦断面図を示す。
【図面の簡単な説明】
【００１３】
【図１】本発明の発泡樹脂容器の一実施態様を示す縦断面図である。
【図２】本発明の閉蓋した状態の発泡樹脂容器の斜視図である。
【図３】Ｂ−Ｂ矢視の本発明の発泡樹脂容器を示す縦断面図である。
【符号の説明】
【００１４】
１    発泡樹脂容器
２    容器本体
３    蓋体
４    側壁
５    底壁
６    側壁上端面
７    嵌合凸部
８    表面
９    裏面
１０、１０´  嵌合凹部
１１  切り欠き部
１２  切り欠き部
【図１】
2006123967.tif 000003
【図２】
2006123967.tif 000004
【図３】
2006123967.tif 000005